Podtech/llm-jp-corpus-v4-ja_patent huggingface dataset:
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
ユーザ機器(UE)から物理ランダムアクセスチャネル(PRACH)を送信する方法であって、
前記UEからネットワークエンティティに、第1のサブキャリア間隔を用いて第1のPRACH送信を送信するステップと、
前記UEによって、前記ネットワークエンティティへの前記第1のPRACH送信が成功しなかったと決定するステップと、
前記第1のPRACH送信が成功しなかったとの決定に応答して、前記UEから前記ネットワークエンティティに、第2のサブキャリア間隔を用いて第2のPRACH送信を送信するステップと
を備え、
前記第1のサブキャリア間隔が、前記第2のサブキャリア間隔とは異なる、
方法。
【請求項２】
前記UEによって、前記ネットワークエンティティから、システム情報を介して前記第1のサブキャリア間隔および前記第2のサブキャリア間隔を受信するステップをさらに備える、請求項1に記載の方法。
【請求項３】
前記システム情報が、前記第1のサブキャリア間隔と前記第2のサブキャリア間隔との間のリンクを示すランダムアクセスチャネル(RACH)構成を含む、請求項2に記載の方法。
【請求項４】
前記システム情報が、ダウンリンク制御情報(DCI)に対応する、請求項2に記載の方法。
【請求項５】
1つまたは複数の追加のPRACH送信のうちの1つが成功したと前記UEが決定するか、またはPRACH再送信試行限界に達するまで、前記UEによって、前記ネットワークエンティティに、前記1つまたは複数の追加のPRACH送信を送信するステップであって、
前記1つまたは複数の追加のPRACH送信が、前記第1のサブキャリア間隔および前記第2のサブキャリア間隔とは異なる後続のサブキャリア間隔を用いて送られる、ステップをさらに備える、請求項1に記載の方法。
【請求項６】
前記PRACHの持続時間が、前記第2のPRACH送信を送信することに基づいて変化する、請求項1に記載の方法。
【請求項７】
前記第2のPRACH送信の前記送信の第2の持続時間が前記第1のPRACH送信の前記送信の第1の持続時間よりも長くなるように、前記第2のサブキャリア間隔が前記第1のサブキャリア間隔よりも低い、請求項1に記載の方法。
【請求項８】
前記UEによって、前記ネットワークエンティティから、適応RACH手順のためのサブキャリア間隔構成を受信するステップと、
前記UEによって、前記ネットワークエンティティからの前記サブキャリア間隔構成において受信された1つまたは複数のそれぞれのサブキャリア間隔を用いて前記適応RACH手順を実行するステップと
をさらに備え、
前記適応RACH手順が、前記UEと前記ネットワークエンティティとの間で複数のメッセージを通信する4段階プロセスに対応し、
前記複数のメッセージの各々が、前記1つまたは複数のそれぞれのサブキャリア間隔のうちの異なるサブキャリア間隔を含む、請求項1に記載の方法。
【請求項９】
前記複数のメッセージが、前記UEから少なくとも前記ネットワークエンティティに送られる第1のメッセージを含み、
前記第1のメッセージが、前記1つまたは複数のそれぞれのサブキャリア間隔のうちの第1のサブキャリア間隔を用いる物理ランダムアクセスチャネル(PRACH)送信に対応する、請求項8に記載の方法。
【請求項１０】
前記複数のメッセージが、前記ネットワークエンティティから前記UEに送られる第2のメッセージを含み、
前記第2のメッセージが、前記1つまたは複数のそれぞれのサブキャリア間隔のうちの第2のサブキャリア間隔を用いる物理ダウンリンク制御チャネル(PDCCH)送信または物理ダウンリンク共有チャネル(PDSCH)送信のうちの少なくとも1つに対応する、請求項8に記載の方法。
【請求項１１】
前記複数のメッセージが、前記UEから前記ネットワークエンティティに送られる第3のメッセージを含み、
前記第3のメッセージが、前記1つまたは複数のそれぞれのサブキャリア間隔のうちの第3のサブキャリア間隔を用いる物理アップリンク共有チャネル(PUSCH)送信に対応する、請求項8に記載の方法。
【請求項１２】
前記複数のメッセージが、前記ネットワークエンティティから前記UEに送られる第4のメッセージを含み、
前記第4のメッセージが、前記1つまたは複数のそれぞれのサブキャリア間隔のうちの第4のサブキャリア間隔を用いる物理ダウンリンク制御チャネル(PDCCH)送信または物理ダウンリンク共有チャネル(PDSCH)送信のうちの少なくとも1つに対応する、請求項8に記載の方法。
【請求項１３】
前記UEによって、前記ネットワークエンティティから、前記適応RACH手順のための前記サブキャリア間隔構成を受信するステップが、前記UEによって、前記ネットワークエンティティから、システム情報を介して前記サブキャリア間隔構成を受信するステップをさらに備える、請求項9に記載の方法。
【請求項１４】
請求項1乃至13のいずれか1項に記載の方法のステップを実行するように構成された手段を備えた装置。
【請求項１５】
請求項1乃至13のいずれか1項に記載の方法のステップをコンピュータに実行させる命令を含むコンピュータプログラム。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
動き制約タイルセットサブビットストリーム抽出を実行する方法であって、
第１のシンタックスエレメントおよび第２のシンタックスエレメントを復号する工程であって、
第１のシンタックスエレメントは、動き制約タイルセット抽出情報セット補足エンハンスメント情報メッセージに含まれる抽出情報セットにおける置換ピクチャパラメータセットの数を示す値を有し、
示された前記置換ピクチャパラメータセットの数に対し、第２のシンタックスエレメントは、前記置換ピクチャパラメータセットにそれぞれ関連付けられたピクチャパラメータセットネットワーク抽象レイヤユニットを生成するための時間識別子を特定し、
受信した前記動き制約タイルセット抽出情報セット補足エンハンスメント情報メッセージにおける前記第１のシンタックスエレメントおよび前記第２のシンタックスエレメントを復号する工程と、
目標時間識別子以下の特定の時間識別子を有する前記ピクチャパラメータセットネットワーク抽象レイヤユニットを、生成された出力ビットストリームに挿入することによってサブビットストリーム抽出を実行する工程と、を含む、方法。
【請求項２】
動き制約タイルセットサブビットストリーム抽出が実行される動画像データを符号化する方法であって、
動き制約タイルセット抽出情報セット補足エンハンスメント情報メッセージにおける第１のシンタックスエレメントおよび第２のシンタックスエレメントを符号化する工程を含み、
前記第１のシンタックスエレメントは、前記動き制約タイルセット抽出情報セット補足エンハンスメント情報メッセージに含まれる抽出情報セットにおける置換ピクチャパラメータセットの数を示す値を有し、
示された前記置換ピクチャパラメータセットの数に対し、前記第２のシンタックスエレメントは、前記置換ピクチャパラメータセットにそれぞれ関連付けられたピクチャパラメータセットネットワーク抽象レイヤユニットを生成するための時間識別子を特定する、方法。
【請求項３】
請求項１又は２に記載の前記工程の一切の組み合わせを実行するように構成されている１つ以上のプロセッサを備える、デバイス。
【請求項４】
前記デバイスが動画像符号化器を含む、請求項３に記載のデバイス。
【請求項５】
前記デバイスが動画像復号器を含む、請求項３に記載のデバイス。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
Polar符号を使用してビットのストリームを符号化するステップと、
最小のサポートされた符号レートRminおよび情報ビットの数Kに少なくとも部分的に基づいて、前記符号化されたビットのストリームを記憶するためのサーキュラーバッファのサイズを決定するステップと、
マザーコードサイズNおよび送信用のコード化ビットの数Eに少なくとも部分的に基づいて、記憶された符号化ビットのストリームに対してレートマッチングを実行するステップと
を含む、方法。
【請求項２】
送信用のコード化ビットの数Eが前記マザーコードサイズNより小さい場合、記憶された符号化ビットのストリームに対してレートマッチングを実行するステップが、記憶された符号化ビットの第1の数をパンクチャリングするステップを含む、請求項1に記載の方法。
【請求項３】
パンクチャリングする前記ステップが、前記サーキュラーバッファ内のマザーコードサイズNの位置において開始して反時計回りに進む、規定されたパターンに従って実行される、請求項2に記載の方法。
【請求項４】
規定されたパターンに従ってパンクチャリングするステップが、
E個の1にN-E個の0が続くベクトルを生成するステップと、
前記サーキュラーバッファ内の前記N-E個の0の位置でビットをパンクチャリングするステップか、または
前記ベクトルのビット反転に従って前記サーキュラーバッファの位置でビットをパンクチャリングするステップ
のうちの1つを実行するステップと
を含む、請求項3に記載の方法。
【請求項５】
記憶された符号化ビットのストリームに対してレートマッチングを実行するステップは、送信用のコード化ビットの前記数Eが前記マザーコードサイズNより大きい場合、記憶された符号化ビットの第2の数を反復するステップを含む、請求項1に記載の方法。
【請求項６】
反復する前記ステップが、前記サーキュラーバッファ内のマザーコードサイズNの位置において開始して反時計回りに進む、規定されたパターンに従って実行される、請求項5に記載の方法。
【請求項７】
規定されたパターンに従って反復するステップが、
E-N個の1に2N-E個の0が続くベクトルを生成するステップと、
前記サーキュラーバッファ内の前記E-N個の1の前記位置でビットを反復するステップか、または
前記ベクトルのビット反転に従って前記サーキュラーバッファの位置でビットを反復するステップ
のうちの1つを実行するステップと
を含む、請求項6に記載の方法。
【請求項８】
前記最小のサポートされた符号レートが1/6または1/8のうちの1つである、請求項1に記載の方法。
【請求項９】
パラメータNMを決定するステップであって、NMが、送信用のコード化ビットの前記数E以上の最小の2のべき乗である、ステップと、
【数１】
2020505810.tif 000001
に従ってパラメータN1を決定するステップと
をさらに含み、
βが[1, 2]の範囲内の実数値である、請求項1に記載の方法。
【請求項１０】
前記マザーコードサイズN=min(N1, N2)である、請求項9に記載の方法。
【請求項１１】
βが1.125に等しい、請求項9に記載の方法。
【請求項１２】
Polar符号を使用してビットのストリームを符号化するための手段と、
最小のサポートされた符号レートRminおよび情報ビットの数Kに少なくとも部分的に基づいて、前記符号化されたビットのストリームを記憶するためのサーキュラーバッファのサイズを決定するための手段と、
マザーコードサイズNおよび送信用のコード化ビットの数Eに少なくとも部分的に基づいて、記憶された符号化ビットのストリームに対してレートマッチングを実行するための手段と
を含む、ワイヤレス通信デバイス。
【請求項１３】
記憶された符号化ビットのストリームに対してレートマッチングを実行することは、送信用のコード化ビットの数Eが前記マザーコードサイズNより小さい場合、記憶された符号化ビットの第1の数をパンクチャリングすることを含む、請求項12に記載のワイヤレス通信デバイス。
【請求項１４】
前記パンクチャリングすることが、前記サーキュラーバッファ内のマザーコードサイズNの位置において開始して反時計回りに進む、規定されたパターンに従って実行される、請求項13に記載のワイヤレス通信デバイス。
【請求項１５】
請求項１から１１のいずれか一項に記載の方法を実行するための命令を含むコンピュータプログラム。
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
セルラーネットワークにおいて使用される無線周波数システムであって、
無線波に応答して複数の受信信号を生成するべく構成された複数のアンテナ素子を含むアンテナアレイであって、前記複数のアンテナ素子は前記複数の受信信号の対応する一つを生成するべく構成されるアンテナアレイと、
それぞれが複数のアンテナ素子の対応する一つに動作可能に関連付けられた複数の信号コンディショニング回路であって、前記複数の受信信号を処理することにより受信ビームを形成するべく構成された複数の信号コンディショニング回路と、
前記受信ビームの、一つ以上の高調波ローブの一つの方向に基づいて受信ビームのビーム操舵を与えるように前記複数の信号コンディショニング回路を制御するべく構成されたビーム制御回路と
を含む、無線周波数システム。
【請求項２】
前記ビーム制御回路はさらに、一つ以上の高調波ローブの前記方向に基づいて前記受信ビームの基本ローブをデチューニングするべく構成される、請求項１の無線周波数システム。
【請求項３】
前記一つ以上の高調波ローブは、前記基本ローブと実質的に同じ方向を指し示して前記基本ローブよりも狭いビーム幅を有する高調波ローブを含む、請求項２の無線周波数システム。
【請求項４】
前記ビーム制御回路はさらに、前記基本ローブのビーム幅の内側であるが前記一つ以上の高調波ローブのビーム幅の外側で前記受信ビームを操舵するべく構成される、請求項３の無線周波数システム。
【請求項５】
前記ビーム制御回路は、前記受信ビームの角度を定期的に調整するべく動作可能である、請求項１の無線周波数システム。
【請求項６】
前記複数の信号コンディショニング回路の少なくとも一つは、高調波電力レベルを検出するべく構成された高調波電力検出器を含み、
前記ビーム制御回路はさらに、前記高調波電力レベルに基づいてビーム操舵を与えるべく構成される、請求項１の無線周波数システム。
【請求項７】
前記受信ビームの高調波電力レベルを検出するべく構成された高調波電力検出器をさらに含み、
前記ビーム制御回路はさらに、前記高調波電力レベルに基づいてビーム操舵を与えるべく構成される、請求項１の無線周波数システム。
【請求項８】
前記複数の信号コンディショニング回路はそれぞれが、前記ビーム制御回路により制御される可変位相シフタを含む、請求項１の無線周波数システム。
【請求項９】
前記複数のアンテナ素子は、複数のパッチアンテナ素子、複数のダイポールアンテナ素子、複数のセラミック共振器、複数のスタンプ金属アンテナ、又は複数のレーザ直接構造化アンテナの少なくとも一つを含む、請求項１の無線周波数システム。
【請求項１０】
セルラーネットワークにおいて使用されるユーザ機器に実装されるモジュールであって、
積層材基板と、
前記積層材基板に形成されたアンテナアレイと、
前記積層材基板に取り付けられた半導体ダイと
を含み、
前記アンテナアレイは、無線波に応答して複数の受信信号を生成するべく構成された複数のアンテナ素子であって、それぞれが前記複数の受信信号の対応する一つを生成するべく構成された複数のアンテナ素子を含み、
前記半導体ダイは、それぞれが前記複数のアンテナ素子の対応する一つに動作可能に関連付けられた複数の信号コンディショニング回路を含み、
前記複数の信号コンディショニング回路は、前記複数の受信信号を処理することにより受信ビームを形成するべく構成され、
前記半導体ダイはさらに、前記受信ビームの、一つ以上の高調波ローブの一つの方向に基づいて受信ビームのビーム操舵を与えるように前記複数の信号コンディショニング回路を制御するべく構成されたビーム制御回路を含む、モジュール。
【請求項１１】
前記ビーム制御回路はさらに、一つ以上の高調波ローブの前記方向に基づいて前記受信ビームの基本ローブをデチューニングするべく構成される、請求項１０のモジュール。
【請求項１２】
前記一つ以上の高調波ローブは、前記基本ローブと実質的に同じ方向を指し示して前記基本ローブよりも狭いビーム幅を有する高調波ローブを含む、請求項１１のモジュール。
【請求項１３】
前記ビーム制御回路はさらに、前記基本ローブのビーム幅の内側であるが前記一つ以上の高調波ローブのビーム幅の外側で前記受信ビームを操舵するべく構成される、請求項１２のモジュール。
【請求項１４】
前記ビーム制御回路は、前記受信ビームの角度を定期的に調整するべく動作可能である、請求項１０のモジュール。
【請求項１５】
前記複数の信号コンディショニング回路の少なくとも一つは、高調波電力レベルを検出するべく構成された高調波電力検出器を含み、
前記ビーム制御回路はさらに、前記高調波電力レベルに基づいてビーム操舵を与えるべく構成される、請求項１０のモジュール。
【請求項１６】
前記受信ビームの高調波電力レベルを検出するべく構成された高調波電力検出器をさらに含み、
前記ビーム制御回路はさらに、前記高調波電力レベルに基づいてビーム操舵を与えるべく構成される、請求項１０のモジュール。
【請求項１７】
前記複数の信号コンディショニング回路はそれぞれが、前記ビーム制御回路により制御される可変位相シフタを含む、請求項１０のモジュール。
【請求項１８】
無線周波数システムにおけるビーム制御の方法であって、
アンテナアレイの複数のアンテナ素子において複数の受信信号を受信することであって、前記複数の受信信号はそれぞれが、前記複数のアンテナ素子の対応する一つにより受信されることと、
それぞれが前記複数のアンテナ素子の対応する一つに動作可能に関連付けられた複数の信号コンディショニング回路を使用して前記複数の受信信号をコンディショニングすることと、
前記複数の信号コンディショニング回路を使用して前記複数の受信信号を処理することにより受信ビームを生成することと、
前記受信ビームの、一つ以上の高調波ローブの一つの方向に基づいて選択された方向に前記受信ビームを操舵することと
を含む、方法。
【請求項１９】
前記一つ以上の高調波ローブの一つの方向に基づいて前記受信ビームの基本ローブをデチューニングすることをさらに含む、請求項１８の方法。
【請求項２０】
前記基本ローブのビーム幅の内側であるが前記一つ以上の高調波ローブのそれぞれのビーム幅の外側で前記受信ビームを操舵することをさらに含む、請求項１９の方法。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
現在変換ブロック内の基準係数の位置を復号化するステップと、
前記基準係数の位置に基づいて符号化パラメータの確率情報を誘導するステップと、
前記誘導された確率情報を用いて前記符号化パラメータを復号化するステップとを含む画像の復号化方法。
【請求項２】
前記現在変換ブロックは、第１領域及び第２領域に分割され、
前記符号化パラメータの確率情報は、前記基準係数がどの領域に存在するかに基づいて決定されることを特徴とする請求項１に記載の画像の復号化方法。
【請求項３】
前記基準係数は、前記現在変換ブロック内の係数の逆スキャン順における最初の０ではない係数であることを特徴とする請求項１に記載の画像の復号化方法。
【請求項４】
前記符号化パラメータは、前記係数が０であるか否かを示す情報、または前記係数の絶対値が１よりも大きい値であるか否かを示す情報のいずれか一つであることを特徴とする請求項１に記載の画像の復号化方法。
【請求項５】
現在変換ブロック内の基準係数の位置を符号化するステップと、
前記基準係数の位置に基づいて符号化パラメータの確率情報を誘導するステップと、
前記誘導された確率情報を用いて前記符号化パラメータを符号化するステップとを含む画像の符号化方法。
【請求項６】
符号化方法によって発生したビットストリームを格納する、コンピュータが読み取り可能な非一時的媒体であって、前記方法は、
現在変換ブロック内の基準係数の位置を符号化するステップと、
前記基準係数の位置に基づいて符号化パラメータの確率情報を誘導するステップと、
前記誘導された確率情報を用いて前記符号化パラメータを符号化するステップとを含むコンピュータが読み取り可能な非一時的媒体。
【請求項７】
ビットストリームから算術符号化された変換係数情報を得るステップと、
変換ブロック内での変換係数の位置に基づいて、前記算術符号化された変換係数情報の確率情報を決定するステップと、
前記確率情報を用いて、前記算術符号化された変換係数情報を復号化するステップとを含む画像の復号化方法。
【請求項８】
前記確率情報を決定するステップは、複数の領域に区分される変換ブロック内で、前記変換係数がどの領域に位置するかに基づいて、前記算術符号化された変換係数情報の前記確率情報を決定するステップを含むことを特徴とする請求項７に記載の画像の復号化方法。
【請求項９】
前記変換ブロック内の前記複数の領域は、前記変換ブロックのＤＣ位置に基づいて区分されることを特徴とする請求項８に記載の画像の復号化方法。
【請求項１０】
前記変換ブロック内の前記複数の領域は、前記変換ブロックの左上側コーナーからの距離に従って分類されることを特徴とする請求項８に記載の画像の復号化方法。
【請求項１１】
前記算術符号化された変換係数情報は、０ではない係数情報と、前記変換係数のＮ超過係数情報の少なくとも一つを含むことを特徴とする請求項７に記載の画像の復号化方法。
【請求項１２】
ビットストリームから算術符号化された変換係数情報を得るステップと、
複数の隣接する変換係数情報に基づいて、前記算術符号化された変換係数情報の確率情報を決定するステップと、
前記確率情報を用いて、前記算術符号化された変換係数情報を復号化するステップとを含む画像の復号化方法。
【請求項１３】
前記確率情報を決定するステップは、１の値を有する隣接する変換係数情報の数に基づいて、前記変換係数情報の前記確率情報を決定するステップを含むことを特徴とする請求項１２に記載の画像の復号化方法。
【請求項１４】
前記隣接する変換係数情報は、所定の隣接領域内の変換係数の情報であり、
前記所定の隣接領域は、前記現在変換係数の位置（ｘ、ｙ）に基づいて、第１の左側の領域（ｘ＋１、ｙ）、第２の左側の領域（ｘ＋２、ｙ）、第１の下側の領域（ｘ、ｙ＋１）、第２の下側の領域（ｘ、ｙ＋２）、及び左下側の領域（ｘ＋１、ｙ＋１）を含むことを特徴とする請求項１２に記載の画像の復号化方法。
【請求項１５】
前記算術符号化された変換係数情報は、０ではない係数情報と、前記変換係数のＮ超過係数情報の少なくとも一つを含むことを特徴とする請求項１２に記載の画像の復号化方法。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
ハウジングと、
音声バスと、
前記ハウジングによって支持され、各々が前記音声バスと通信する第１の複数のマイクロホンと、
前記第１の複数のマイクロホン及び前記音声バスと通信するモジュールプロセッサと、
を備えるモジュール式アレイマイクロホンシステムであって、
前記モジュールプロセッサは、
前記音声バスと通信するアレイプロセッサの存在を検出し、
前記音声バスと通信する第２のマイクロホンモジュールの存在を検出し、
前記アレイプロセッサの存在及び前記第２のマイクロホンモジュールの存在を検出すると、前記マイクロホンモジュール及び前記第２のマイクロホンモジュールの数量及び接続順序を検出して、（ｉ）前記第１の複数のマイクロホン及び（ｉｉ）前記第２のマイクロホンモジュールの両方からの音声信号を前記アレイプロセッサに渡すように前記音声バスを構成する、
ように構成される、ことを特徴とするモジュール式アレイマイクロホンシステム。
【請求項２】
前記第１の複数のマイクロホンは、前記ハウジングの長さに沿って配列され、前記第１の複数のマイクロホンの各々は、前記長さに対してほぼ横方向に位置決めされる、請求項１に記載のシステム。
【請求項３】
前記音声バスは、複数の音声チャネルを有する時分割多重化（ＴＤＭ）バスを備える、請求項１に記載のシステム。
【請求項４】
前記複数の音声チャネルは、前記第１の複数のマイクロホンからの第１の複数の音声信号を搬送する、請求項３に記載のシステム。
【請求項５】
前記複数の音声チャネルは、前記第２の複数のマイクロホンからの第２の複数の音声信号を搬送する、請求項３に記載のシステム。
【請求項６】
前記アレイプロセッサ又は前記モジュールプロセッサの何れかは、前記第１の複数の音声信号と前記第２の複数の音声信号とを時間整列する、請求項１に記載のシステム。
【請求項７】
前記第２のマイクロホンモジュールは、第２の複数のマイクロホンを含み、
前記アレイプロセッサは、前記第１の複数のマイクロホンから第１の複数の音声信号を受信し、前記第２の複数のマイクロホンから第２の複数の音声信号を受信する、請求項１に記載のシステム。
【請求項８】
前記アレイプロセッサは、前記第１及び第２の複数の音声信号を処理して、少なくとも１つの誘導可能ビームを形成する、請求項７に記載のシステム。
【請求項９】
前記誘導可能ビームは、前記第１の複数のマイクロホン信号のうちの少なくとも１つ及び前記第２の複数のマイクロホン信号のうちの少なくとも１つからの音声信号を含む、請求項８に記載のシステム。
【請求項１０】
前記音声バスを前記アレイプロセッサに接続する第１のコネクタと、
前記音声バスを前記第２のマイクロホンモジュールに接続する第２のコネクタと、を更に備える、請求項１に記載のシステム。
【請求項１１】
前記第１及び第２のコネクタは、デジタルパラレル／シリアルインタフェース、アナログパラレル／シリアルインタフェース、ワイヤレスインタフェース、及び無線インタフェースからなるグループから選択される、請求項１０に記載のシステム。
【請求項１２】
前記アレイプロセッサは、前記ハウジング内部に位置する、請求項１に記載のシステム。
【請求項１３】
前記音声バスは、前記マイクロホンモジュール及び前記第２のマイクロホンモジュールの各々における前記複数のマイクロホンが前記アレイプロセッサと通信するように、前記アレイプロセッサと、前記マイクロホンモジュールと、前記第２のマイクロホンモジュールとを接続し、
前記アレイプロセッサ及び前記モジュールプロセッサは、
（ｉ）前記マイクロホンモジュール及び前記第２のマイクロホンモジュールの前記数量及び前記接続順序を検出し、
（ｉｉ）前記数量及び前記接続順序を検出すると、前記マイクロホンモジュール及び前記第２のマイクロホンモジュールの各々における前記複数のマイクロホンからの前記音声信号を前記アレイプロセッサに経路設定するように前記音声バスを構成する、
ように構成される、ことを特徴とする請求項１に記載のシステム。
【請求項１４】
前記第１の複数のマイクロホンは、前記第１の複数のマイクロホンの第１のクラスタが前記ハウジングの長さの中央の近くに形成され、前記第１の複数のマイクロホンの第２のクラスタが前記ハウジングの第１の端部の近くに形成され、前記第１の複数のマイクロホンの第３のクラスタが前記ハウジングの第２の端部の近くに形成されるように配列される、請求項１に記載のシステム。
【請求項１５】
前記アレイプロセッサは、前記第１の複数のマイクロホンによって検出された前記音声信号のサブセットから形成される少なくとも１つの出力音声ストリームを生成し、前記サブセットは、一連のモジュール内の前記モジュールの位置に基づく、
ことを特徴とする請求項１に記載のシステム。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
1つまたは複数のアップリンク制御情報(UCI)ビットを提供するために割り振られたリソースを決定するステップであって、前記決定するステップは異なる数のUCIビットを異なるリソースプールにマッピングするマッピングに基づいて第１のリソースプールを決定するステップを含み、
前記マッピングは１以上の数のUCIビットを前記第１のリソースプールにマッピングし、
前記割り振られたリソースは前記第１のリソースプールの１つ以上のリソースを含む、ステップと、
前記割り振られたリソースを使用して前記1つまたは複数のUCIビットを有する物理アップリンク制御チャネル(PUCCH)を基地局に送るステップとを含む、
方法。
【請求項２】
前記1つまたは複数のUCIビットが、前記UEへのダウンリンク送信に肯定応答するための1つまたは複数の肯定応答ビット、スケジューリング要求(SR)、バッファステータス報告(BSR)、またはチャネル品質インジケータ(CQI)のうちの少なくとも1つを含む、
請求項1に記載の方法。
【請求項３】
前記リソースが動的に割り振られる、または半静的に割り振られる
請求項1に記載の方法。
【請求項４】
前記1つまたは複数のUCIビットが、前記UEへのダウンリンク送信に肯定応答するための1つまたは複数の肯定応答ビットと、1つまたは複数のチャネル品質インジケータ(CQI)ビットとを含む、
請求項1に記載の方法。
【請求項５】
前記割り振られたリソースが、前記1つまたは複数の肯定応答ビットおよび前記1つまたは複数のCQIビットを提供するために割り振られたリソースを含む、
請求項４に記載の方法。
【請求項６】
前記1つまたは複数の肯定応答ビットを提供するために割り振られたリソースが、前記1つまたは複数のCQIビットのために割り振られたリソースと異なる、
請求項４に記載の方法。
【請求項７】
前記1つまたは複数の肯定応答ビットおよび前記1つまたは複数のCQIビットを送るために前記1つまたは複数のCQIビットのために割り振られた前記リソースを使用することを決定するステップをさらに含む、または
前記1つまたは複数の肯定応答ビットおよび前記1つまたは複数のCQIビットを送るために前記1つまたは複数の肯定応答ビットを提供するために割り振られた前記リソースを使用することを決定するステップをさらに含む、
請求項６に記載の方法。
【請求項８】
前記1つまたは複数の肯定応答ビットが、前記1つまたは複数のCQIビットとジョイント符号化される、または
前記1つまたは複数の肯定応答ビットおよび前記1つまたは複数のCQIビットが、別々に符号化される、または
前記1つまたは複数の肯定応答ビットが、前記1つまたは複数のCQIビットの第1の部分とジョイント符号化され、前記1つまたは複数のCQIビットの第2の部分と別々に符号化される、
請求項４に記載の方法。
【請求項９】
前記1つまたは複数のUCIビットが、前記UEへのダウンリンク送信に肯定応答するための1つまたは複数の肯定応答ビットと、バッファステータス報告(BSR)ビットとを含む、
請求項1に記載の方法。
【請求項１０】
前記割り振られたリソースが、前記1つまたは複数の肯定応答ビットおよびBSRビットのために割り振られたリソースを含む、
請求項９に記載の方法。
【請求項１１】
前記1つまたは複数の肯定応答ビットを提供するために割り振られたリソースが、BSRビットのために割り振られたリソースと異なる、
請求項９に記載の方法。
【請求項１２】
BSRビットのために割り振られた前記リソースを使用するか、または前記1つまたは複数の肯定応答ビットを送信するための他のリソースを使用するかを、前記1つまたは複数の肯定応答ビットの数に基づいて決定するステップをさらに含む、
請求項９に記載の方法。
【請求項１３】
前記1つまたは複数の肯定応答ビットが、バッファステータス報告(BSR)情報とジョイント符号化される、
請求項1に記載の方法。
【請求項１４】
ワイヤレス通信のための装置であって
1つまたは複数のアップリンク制御情報(UCI)ビットを提供するために割り振られたリソースを決定する手段であって、前記決定することは異なる数のUCIビットを異なるリソースプールにマッピングするマッピングに基づいて第１のリソースプールを決定することを含み、
前記マッピングは１以上の数のUCIビットを前記第１のリソースプールにマッピングし、
前記割り振られたリソースは前記第１のリソースプールの１つ以上のリソースを含む、決定する手段
と、
前記割り振られたリソースを使用して前記1つまたは複数のUCIビットを有する物理アップリンク制御チャネル(PUCCH)を基地局に送るための手段とを含む、
装置。
【請求項１５】
プロセッサにより実行されるときに前記プロセッサに請求項１から１３のいずれか一項に記載の方法を実行するようにする命令を含むコンピュータ可読記録媒体。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
トランスポートブロック(TB)を送るために利用可能なオーバージエアリソースを決定するステップと、
前記決定およびコードブロック(CB)に対する符号レートに基づいて前記TBをより小さいコードブロックに分割することを実行するステップであって、前記分割の実行が、
前記符号レートがしきい値よりも小さい場合に第1のコードブロックサイズを選択するステップ、または
前記符号レートが前記しきい値よりも大きい場合に第2のコードブロックサイズを選択するステップを含む、ステップと、
前記CBを送信するステップと
を含む、方法。
【請求項２】
前記分割を実行するステップが、
前記符号レートが前記しきい値以下である場合に前記第1のコードブロックサイズを選択するステップを含む、請求項1に記載の方法。
【請求項３】
前記第2のコードブロックサイズが前記第1のコードブロックサイズよりも大きい、請求項1に記載の方法。
【請求項４】
前記第2のコードブロックサイズは、追加のしきい値よりも大きいが、最大コードブロックサイズよりも小さい、請求項3に記載の方法。
【請求項５】
低密度パリティチェック(LDPC)コーディングを使用して前記コードブロックを符号化するステップをさらに含む、請求項1に記載の方法。
【請求項６】
前記トランスポートブロックがより大きいコードブロックを使用して送信された場合に、ビットの反復に対してコーディング利得を達成するように選択された符号レートを使用して、前記コードブロックが送信される、請求項5に記載の方法。
【請求項７】
低密度パリティチェック(LDPC)を使用して前記コードブロックを符号化するステップであって、前記第2のコードブロックサイズが前記第1のコードブロックサイズよりも大きく、前記第2のコードブロックサイズが追加のしきい値よりも大きいが、最大コードブロックサイズよりも小さい、請求項1に記載の方法。
【請求項８】
ワイヤレス通信のための装置であって、
トランスポートブロック(TB)を送るために利用可能なオーバージエアリソースを決定するための手段と、
前記決定およびコードブロック(CB)に対する符号レートに基づいて前記TBをより小さいコードブロックに分割することを実行するための手段であって、前記分割することを実行するための手段が、
前記符号レートがしきい値よりも小さい場合に第1のコードブロックサイズを選択する、または
前記符号レートが前記しきい値よりも大きい場合に第2のコードブロックサイズを選択するように構成された、実行するための手段と、
前記CBを送信するための手段と
を備える、装置。
【請求項９】
前記分割を実行するための手段が、
前記符号レートが前記しきい値以下である場合に前記第1のコードブロックサイズを選択するように構成された、請求項8に記載の装置。
【請求項１０】
前記第2のコードブロックサイズが前記第1のコードブロックサイズよりも大きい、請求項8に記載の装置。
【請求項１１】
前記第2のコードブロックサイズは、追加のしきい値よりも大きいが、最大コードブロックサイズよりも小さい、請求項10に記載の装置。
【請求項１２】
低密度パリティチェック(LDPC)コーディングを使用して前記コードブロックを符号化するための手段をさらに備える、請求項8に記載の装置。
【請求項１３】
前記トランスポートブロックがより大きいコードブロックを使用して送信された場合に、ビットの反復に対してコーディング利得を達成するように選択された符号レートを使用して、前記コードブロックが送信される、請求項12に記載の装置。
【請求項１４】
ワイヤレス通信のための装置であって、
プロセッサを備え、前記プロセッサが、
トランスポートブロック(TB)を送るために利用可能なオーバージエアリソースを決定することと、
前記決定およびコードブロック(CB)に対する符号レートに基づいて前記TBをより小さいコードブロックに分割することを実行することであって、前記分割が、
前記符号レートがしきい値よりも小さい場合に第1のコードブロックサイズを選択すること、または
前記符号レートが前記しきい値よりも大きい場合に第2のコードブロックサイズを選択することにより少なくとも部分的に実行される、実行することと、
前記CBを送信することと
を行うように構成された、装置。
【請求項１５】
前記プロセッサが、前記符号レートが前記しきい値以下である場合に前記第1のコードブロックサイズを選択することによって前記分割を実行するように構成された、請求項14に記載の装置。
【請求項１６】
前記第2のコードブロックサイズが前記第1のコードブロックサイズよりも大きい、請求項14に記載の装置。
【請求項１７】
前記第2のコードブロックサイズは、追加のしきい値よりも大きいが、最大コードブロックサイズよりも小さい、請求項16に記載の装置。
【請求項１８】
前記プロセッサが、低密度パリティチェック(LDPC)コーディングを使用して前記コードブロックを符号化するように構成された、請求項14に記載の装置。
【請求項１９】
前記トランスポートブロックがより大きいコードブロックを使用して送信された場合に、ビットの反復に対してコーディング利得を達成するように前記符号レートが選択される、請求項18に記載の装置。
【請求項２０】
命令を記録したコンピュータ可読記録媒体であって、
前記命令が、
トランスポートブロック(TB)を送るために利用可能なオーバージエアリソースを決定することと、
前記決定およびコードブロック(CB)に対する符号レートに基づいて前記TBをより小さいコードブロックに分割することを実行することであって、前記分割の実行が、
前記符号レートがしきい値よりも小さい場合に第1のコードブロックサイズを選択すること、または
前記符号レートが前記しきい値よりも大きい場合に第2のコードブロックサイズを選択することを含む、実行することと、
前記CBを送信することと
を行うためのものである、コンピュータ可読記録媒体。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
データ通信方法であって、
ユーザー装置（ＵＥ）は、前記ＵＥが複数の無線周波数（ＲＦ）チェーンを用いてデータ通信を行う能力を取得することと、
前記ＵＥは、基地局へ前記ＵＥが複数のＲＦチェーンを用いてデータ通信を行う能力を含むレポートを送信することと、を含む、前記データ通信方法。
【請求項２】
前記方法は、
前記ＵＥは、前記基地局からコンポーネントキャリアにおいて如何に前記複数のＲＦチェーンを用いてデータ通信を行うかについての命令を受信することと、
前記命令に基づいて、前記コンポーネントキャリアにおいて動作するようにいくつかのＲＦチェーンを設定することと、を更に含む
請求項１に記載の方法。
【請求項３】
前記レポートは、各ＲＦチェーンの動作帯域幅、又はどのＲＦチェーンを用いて前記コンポーネントキャリアのどの部分の帯域幅において動作するかの指示をさらに含む
請求項２に記載の方法。
【請求項４】
前記命令が、前記ＵＥが前記コンポーネントキャリアにおいて前記複数のＲＦチェーンのうちの２つ以上のＲＦチェーンを用いることを許容することを含む場合、前記命令に基づいて、前記コンポーネントキャリアにおいて動作するようにいくつかのＲＦチェーンを設定することは、
前記命令に基づいて、前記２つ以上のＲＦチェーンのうちの各ＲＦチェーンを前記コンポーネントキャリアの部分帯域幅において動作するように設定し、各ＲＦチェーンの動作している前記部分帯域幅が互いに隔てられることを含む
請求項２又は３に記載の方法。
【請求項５】
前記命令が、前記ＵＥが前記コンポーネントキャリアにおいて前記複数のＲＦチェーンのうちの２つ以上のＲＦチェーンを用いることを禁止することを含む場合、前記命令に基づいて、前記コンポーネントキャリアにおいて動作するようにいくつかのＲＦチェーンを設定することは、
前記命令に基づいて、１つのＲＦチェーンを前記コンポーネントキャリアにおいて動作するように設定することを含み、且つ
前記方法は、更に、
他のＲＦチェーンをオフにすることを含む
請求項２又は３に記載の方法。
【請求項６】
前記命令は、前記コンポーネントキャリアのどの部分の帯域幅を用いるかをさらに含み、前記命令に基づいて、１つのＲＦチェーンを前記コンポーネントキャリアにおいて動作するように設定することは、
該ＲＦチェーンを前記コンポーネントキャリアの命令された部分の帯域幅において動作するように設定することを含む
請求項５に記載の方法。
【請求項７】
前記命令は、前記コンポーネントキャリアの帯域幅の第１部分と第２部分を用いてダウンリンクデータ通信及びアップリンクデータ通信をそれぞれ行うことをさらに含み、前記命令に基づいて、１つのＲＦチェーンを前記コンポーネントキャリアにおいて動作するように設定することは、
該ＲＦチェーンのダウンリンク部分を前記コンポーネントキャリアの帯域幅の第１部分において動作するように設定することと、
該ＲＦチェーンのアップリンク部分を前記コンポーネントキャリアの帯域幅の第２部分において動作するように設定することと、を含む
請求項５に記載の方法。
【請求項８】
データ通信装置であって、
ユーザー装置（ＵＥ）が複数の無線周波数（ＲＦ）チェーンを用いてデータ通信を行う能力を取得するように構成される取得モジュールと、
基地局へ前記ユーザー装置（ＵＥ）が複数のＲＦチェーンを用いてデータ通信を行う能力を含むレポートを送信するように構成される送信モジュールと、を備える、前記データ通信装置。
【請求項９】
前記基地局からコンポーネントキャリアにおいて如何に前記複数のＲＦチェーンを用いてデータ通信を行うかについての命令を受信するように構成される受信モジュールと、
前記命令に基づいて、前記コンポーネントキャリアにおいて動作するようにいくつかのＲＦチェーンを設定するように構成される設定モジュールと、をさらに備える
請求項８に記載の装置。
【請求項１０】
前記レポートは、各ＲＦチェーンの動作帯域幅、又はどのＲＦチェーンを用いて前記コンポーネントキャリアのどの部分の帯域幅において動作するかの指示をさらに含む
請求項９に記載の装置。
【請求項１１】
前記命令が、前記ＵＥが前記コンポーネントキャリアにおいて前記複数のＲＦチェーンのうちの２つ以上のＲＦチェーンを用いることを許容することを含む場合、前記設定モジュールは、前記命令に基づいて、前記２つ以上のＲＦチェーンのうちの各ＲＦチェーンを前記コンポーネントキャリアの部分帯域幅において動作するように設定するように構成され、各ＲＦチェーンの動作している前記部分帯域幅が互いに隔てられる
請求項９又は１０に記載の装置。
【請求項１２】
前記命令が、前記ＵＥが前記コンポーネントキャリアにおいて前記複数のＲＦチェーンのうちの２つ以上のＲＦチェーンを用いることを禁止することを含む場合、前記設定モジュールは、前記命令に基づいて、１つのＲＦチェーンを前記コンポーネントキャリアにおいて動作するように設定するように構成され、且つ
前記設定モジュールは更に他のＲＦチェーンをオフにするように構成される
請求項９又は１０に記載の装置。
【請求項１３】
前記命令は、前記コンポーネントキャリアのどの部分の帯域幅を用いるかをさらに含み、前記設定モジュールは、該ＲＦチェーンを前記コンポーネントキャリアの命令された部分の帯域幅において動作するように設定するように構成される
請求項１２に記載の装置。
【請求項１４】
前記命令は、前記コンポーネントキャリアの帯域幅の第１部分と第２部分を用いてダウンリンクデータ通信及びアップリンクデータ通信をそれぞれ行うことをさらに含み、前記設定モジュールは、
該ＲＦチェーンのダウンリンク部分を前記コンポーネントキャリアの帯域幅の第１部分において動作するように設定し、
該ＲＦチェーンのアップリンク部分を前記コンポーネントキャリアの帯域幅の第２部分において動作するように設定するように構成される
請求項１２に記載の装置。
【請求項１５】
データ通信装置であって、
ユーザー装置（ＵＥ）が複数の無線周波数（ＲＦ）チェーンを用いてデータ通信を行う能力を含むレポートを受信するように構成される受信モジュールと、
前記レポートに基づいて、どのようにコンポーネントキャリアにおいて前記複数のＲＦチェーンを用いるかを前記ＵＥに命令するように構成される命令モジュールと、を備える、前記データ通信装置。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
第１のインデックスセットのサブセットである第２のインデックスセットに基づいて、前記第２のインデックスセットに含まれるインデックスの数と等しいビット数の系列を生成し、前記第１のインデックスセットは、信頼性の昇順に整列される、生成部と、
前記第２のインデックスセットに含まれるインデックスの数と等しいビット数の系列を符号化する制御部と、
前記符号化された系列が適用される情報ビットを送信する送信部と、を有する端末。
【請求項２】
前記第２のインデックスセットに含まれるインデックスの数と等しいビット数の系列に、符号化されるビット又は０が入力される、請求項１に記載の端末。
【請求項３】
第１のインデックスセットのサブセットである第２のインデックスセットに基づいて、前記第２のインデックスセットに含まれるインデックスの数と等しいビット数の系列を生成し、前記第１のインデックスセットは、信頼性の昇順に整列される、ステップと、
前記第２のインデックスセットに含まれるインデックスの数と等しいビット数の系列を符号化するステップと、
前記符号化された系列が適用される情報ビットを送信するステップと、を含む端末の無線通信方法。
【請求項４】
第１のインデックスセットのサブセットである第２のインデックスセットに基づいて、前記第２のインデックスセットに含まれるインデックスの数と等しいビット数の系列を生成し、前記第１のインデックスセットは、信頼性の昇順に整列される、生成部と、
前記第２のインデックスセットに含まれるインデックスの数と等しいビット数の系列を符号化する制御部と、
前記符号化された系列が適用される情報ビットを送信する送信部と、を有する基地局。
【請求項５】
端末と基地局を有するシステムであって、
前記端末は、
第１のインデックスセットのサブセットである第２のインデックスセットに基づいて、前記第２のインデックスセットに含まれるインデックスの数と等しいビット数の系列を生成し、前記第１のインデックスセットは、信頼性の昇順に整列される、生成部と、
前記第２のインデックスセットに含まれるインデックスの数と等しいビット数の系列を符号化する制御部と、
前記符号化された系列が適用される情報ビットを送信する送信部と、を有し、
前記基地局は、
前記符号化された系列が適用される前記情報ビットを受信する受信部を有する、システム。
【手続補正２】
【補正対象書類名】明細書
【補正対象項目名】発明の名称
【補正方法】変更
【補正の内容】
【発明の名称】端末、無線通信方法、基地局及びシステム
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局との接続モードにあるユーザ機器(UE)によって、第1の送信時間間隔(TTI)において前記基地局から定期的に受信される追跡基準信号のためのリソースセットを特定するステップであって、前記追跡基準信号が、前記第1のTTIの中のシンボル期間のセットに対する前記UEのためのキャリアのサブキャリアのセットの複数のサブパターンを備え、前記複数のサブパターンが、前記キャリアの帯域幅の第1の部分にわたる、ステップと、
前記特定されたリソースセット上で前記追跡基準信号を受信するステップと、
前記受信された追跡基準信号に少なくとも部分的に基づいて、前記キャリアの周波数追跡および時間追跡を実行するステップと
を備える、方法。
【請求項２】
前記基地局から、前記追跡基準信号のための構成情報を受信するステップをさらに備え、前記構成情報が、前記帯域幅の前記第1の部分、もしくは密度、もしくはパンクチャリングパターン、もしくはサブキャリア間隔、またはこれらの組合せを備え、前記追跡のための前記リソースセットが、前記追跡基準信号のための前記受信された構成情報に少なくとも部分的に基づいて決定される、請求項1に記載の方法。
【請求項３】
アイドルモードから前記接続モードへの前記UEの移行のタイミング、または前記UEのための接続モード非連続受信(CDRX)サイクルのタイミング、または前記複数のTTIのうちの少なくとも1つのインジケータを受信することに少なくとも部分的に基づいて前記基地局から補助的な追跡基準信号を受信するための複数のTTIを特定するステップをさらに備える、請求項1に記載の方法。
【請求項４】
複数のTTIにわたって補助的な追跡基準信号を受信するステップをさらに備え、前記補助的な追跡基準信号が、前記基地局から定期的に受信される前記追跡基準信号の前記複数のサブパターンと同じ複数のサブパターンを備える、請求項1に記載の方法。
【請求項５】
第2のTTIにわたって補助的な追跡基準信号を受信するステップをさらに備え、前記補助的な追跡基準信号が第2のサブキャリアのセットのための第2の複数のサブパターンを備え、前記第2の複数のサブパターンが前記キャリアの前記帯域幅の少なくとも一部分にわたり、前記第2の複数のサブパターンのうちの少なくとも1つが、前記基地局から定期的に受信される前記追跡基準信号の前記複数のサブパターンと異なる、請求項1に記載の方法。
【請求項６】
ワイヤレス通信のための方法であって、
基地局によって、第1の送信時間間隔(TTI)において追跡基準信号のためのリソースセットを決定するステップであって、前記リソースセットが、前記第1のTTIの中のシンボル期間のセットに対するユーザ機器(UE)のためのキャリアのサブキャリアのセットの複数のサブパターンを備え、前記複数のサブパターンが、前記キャリアの帯域幅の第1の部分にわたる、ステップと、
前記基地局によって定期的に、前記決定されたリソースセット上で前記追跡基準信号を送信するステップと
を備える、方法。
【請求項７】
前記追跡基準信号のための構成情報を送信するステップをさらに備え、前記構成情報が、前記帯域幅の前記第1の部分、もしくは密度、もしくはパンクチャリングパターン、もしくはサブキャリア間隔、またはこれらの組合せを備える、請求項6に記載の方法。
【請求項８】
前記複数のサブパターンが、同じサブキャリア上で送信されるペアにされたシンボル期間を備える、請求項1または6に記載の方法。
【請求項９】
前記第1のTTIがダウンリンクTTIを備える、請求項1または6に記載の方法。
【請求項１０】
複数のTTIにわたって補助的な追跡基準信号を送信するステップをさらに備え、前記補助的な追跡基準信号が、前記基地局によって定期的に送信される前記追跡基準信号の前記複数のサブパターンと同じ複数のサブパターンを備える、請求項6に記載の方法。
【請求項１１】
第2のTTIにわたって補助的な追跡基準信号を送信するステップをさらに備え、前記補助的な追跡基準信号が第2のサブキャリアのセットのための第2の複数のサブパターンを備え、前記第2の複数のサブパターンが前記キャリアの前記帯域幅の少なくとも一部分にわたり、前記第2の複数のサブパターンのうちの少なくとも1つが、前記基地局によって定期的に送信される前記追跡基準信号の前記複数のサブパターンと異なる、請求項6に記載の方法。
【請求項１２】
前記第2のTTIにおける前記補助的な追跡基準信号の密度が、前記第1のTTIにおける前記追跡基準信号の前記密度より高い、請求項5または11に記載の方法。
【請求項１３】
ワイヤレス通信のための装置であって、
基地局との接続モードにあるユーザ機器(UE)によって、第1の送信時間間隔(TTI)において前記基地局から定期的に受信される追跡基準信号のためのリソースセットを特定するための手段であって、前記追跡基準信号が、前記第1のTTIの中のシンボル期間のセットに対する前記UEのためのキャリアのサブキャリアのセットの複数のサブパターンを備え、前記複数のサブパターンが、前記キャリアの帯域幅の第1の部分にわたる、手段と、
前記特定されたリソースセット上で前記追跡基準信号を受信するための手段と、
前記受信された追跡基準信号に少なくとも部分的に基づいて、前記キャリアの周波数追
跡および時間追跡を実行するための手段と
を備える、装置。
【請求項１４】
ワイヤレス通信のための装置であって、
基地局によって、第1の送信時間間隔(TTI)において追跡基準信号のためのリソースセットを決定するための手段であって、前記リソースセットが、前記第1のTTIの中のシンボル期間のセットに対するユーザ機器(UE)のためのキャリアのサブキャリアのセットの複数のサブパターンを備え、前記複数のサブパターンが、前記キャリアの帯域幅の第1の部分にわたる、手段と、
前記基地局によって定期的に、前記決定されたリソースセット上で前記追跡基準信号を送信するための手段と
を備える、装置。
【請求項１５】
コンピュータにより実行されたときに、コンピュータに請求項１から１２のいずれか一項に記載の方法を実行させる命令を含むコンピュータプログラム。